(57)【要約】【課題】  色および解像度の少なくとも一方が互いに異なる複数種類の画像を送信する異種同報送信ジョブのログ画像を適切に生成することができるログ画像生成システムおよびログ画像生成プログラムを提供する。【解決手段】  ＭＦＰは、このＭＦＰのジョブが、同一の原稿から生成された画像を複数の通信方式で送信する異種同報送信ジョブであって、この複数の通信方式の中に、送信対象の画像の色および解像度の少なくとも一方が互いに異なる複数の通信方式が存在する異画像異種同報送信ジョブであることを判断した場合に（Ｓ３０１でＹＥＳ）、この異画像異種同報送信ジョブの送信対象であって色および解像度の少なくとも一方が互いに異なる複数種類の画像のうち特定の条件で選択した（Ｓ３０２〜Ｓ３０８）種類の画像に基づいて、この異画像異種同報送信ジョブのログ画像を生成する（Ｓ３０９）ことを特徴とする。【選択図】  図１４
2014216781.tif 000002
【特許請求の範囲】
【請求項１】
画像形成装置のジョブの種類を判断するジョブ種類判断手段と、
前記ジョブにおける処理対象の画像の履歴としてのログ画像を生成するログ画像生成手段とを備え、
前記ログ画像生成手段は、前記ジョブが、同一の原稿から生成された前記画像を複数の通信方式で送信する異種同報送信ジョブであって、この複数の通信方式の中に、送信対象の前記画像の色および解像度の少なくとも一方が互いに異なる複数の通信方式が存在する異画像異種同報送信ジョブであることが前記ジョブ種類判断手段によって判断された場合に、前記異画像異種同報送信ジョブの送信対象であって色および解像度の少なくとも一方が互いに異なる複数種類の前記画像のうち特定の条件で選択した種類の画像に基づいて、この異画像異種同報送信ジョブの前記ログ画像を生成することを特徴とするログ画像生成システム。
【請求項２】
前記特定の条件は、前記異画像異種同報送信ジョブの複数の通信方式のうち、前記画像を送信する場合にこの画像の解像度を特定の解像度以上の解像度にするために必要な拡大率が最も小さい通信方式での送信対象の前記画像を選択する条件を含むことを特徴とする請求項１に記載のログ画像生成システム。
【請求項３】
前記特定の条件は、前記異画像異種同報送信ジョブの複数の通信方式のうち特定の通信方式での送信対象の前記画像の解像度が前記特定の解像度以上である場合に、前記特定の通信方式での送信対象の前記画像を選択する条件を含むことを特徴とする請求項２に記載のログ画像生成システム。
【請求項４】
ログ画像を保証するレベルを受け付けるレベル受付手段を備え、
前記特定の条件は、特定のレベルが前記レベル受付手段によって受け付けられている場合に、特定の通信方式での送信対象の前記画像を選択する条件を含むことを特徴とする請求項１に記載のログ画像生成システム。
【請求項５】
画像形成装置のジョブの種類を判断するジョブ種類判断手段、および、
前記ジョブにおける処理対象の画像の履歴としてのログ画像を生成するログ画像生成手段としてコンピューターを機能させ、
前記ログ画像生成手段は、前記ジョブが、同一の原稿から生成された前記画像を複数の通信方式で送信する異種同報送信ジョブであって、この複数の通信方式の中に、送信対象の前記画像の色および解像度の少なくとも一方が互いに異なる複数の通信方式が存在する異画像異種同報送信ジョブであることが前記ジョブ種類判断手段によって判断された場合に、前記異画像異種同報送信ジョブの送信対象であって色および解像度の少なくとも一方が互いに異なる複数種類の前記画像のうち特定の条件で選択した種類の画像に基づいて、この異画像異種同報送信ジョブの前記ログ画像を生成することを特徴とするログ画像生成プログラム。
【発明の詳細な説明】
【技術分野】
【０００１】
本発明は、画像形成装置のジョブにおける処理対象の画像の履歴としてのログ画像を生成するログ画像生成システムおよびログ画像生成プログラムに関する。
【背景技術】
【０００２】
従来、画像形成装置のジョブにおける処理対象の画像の履歴としてのログ画像を生成するログ画像生成システムが知られている（特許文献１参照。）。
【先行技術文献】
【特許文献】
【０００３】
【特許文献１】特開２００８−１２３０３９号公報
【発明の概要】
【発明が解決しようとする課題】
【０００４】
ここで、ジョブとしては、同一の原稿から生成された画像を複数の通信方式で送信する異種同報送信ジョブが知られている。そして、異種同報送信ジョブには、対応する複数の通信方式の中に、送信対象の画像の色および解像度の少なくとも一方が互いに異なる複数の通信方式が存在するジョブが含まれる。
【０００５】
しかしながら、従来のログ画像生成システムにおいては、異種同報送信ジョブの送信対象であって色および解像度の少なくとも一方が互いに異なる複数種類の画像に基づいて、如何にしてログ画像を生成するかについて考慮されていない。
【０００６】
そこで、本発明は、色および解像度の少なくとも一方が互いに異なる複数種類の画像を送信する異種同報送信ジョブのログ画像を適切に生成することができるログ画像生成システムおよびログ画像生成プログラムを提供することを目的とする。
【課題を解決するための手段】
【０００７】
本発明のログ画像生成システムは、画像形成装置のジョブの種類を判断するジョブ種類判断手段と、前記ジョブにおける処理対象の画像の履歴としてのログ画像を生成するログ画像生成手段とを備え、前記ログ画像生成手段は、前記ジョブが、同一の原稿から生成された前記画像を複数の通信方式で送信する異種同報送信ジョブであって、この複数の通信方式の中に、送信対象の前記画像の色および解像度の少なくとも一方が互いに異なる複数の通信方式が存在する異画像異種同報送信ジョブであることが前記ジョブ種類判断手段によって判断された場合に、前記異画像異種同報送信ジョブの送信対象であって色および解像度の少なくとも一方が互いに異なる複数種類の前記画像のうち特定の条件で選択した種類の画像に基づいて、この異画像異種同報送信ジョブの前記ログ画像を生成することを特徴とする。
【０００８】
この構成により、本発明のログ画像生成システムは、色および解像度の少なくとも一方が互いに異なる複数種類の画像を送信する異種同報送信ジョブである異画像異種同報送信ジョブのログ画像として、この複数種類の画像のうち全ての種類の画像に基づいたログ画像を生成するのではなく、この複数種類の画像のうち特定の条件で選択した種類の画像に基づいたログ画像を生成するので、異画像異種同報送信ジョブのログ画像を無駄なく適切に生成することができる。
【０００９】
また、本発明のログ画像生成システムにおいて、前記特定の条件は、前記異画像異種同報送信ジョブの複数の通信方式のうち、前記画像を送信する場合にこの画像の解像度を特定の解像度以上の解像度にするために必要な拡大率が最も小さい通信方式での送信対象の前記画像を選択する条件を含んでも良い。
【００１０】
この構成により、本発明のログ画像生成システムは、異画像異種同報送信ジョブの複数の通信方式のうち、送信対象の画像が、ログ画像の生成のための特定の解像度以上にされるまでに必要な拡大率が最も小さい通信方式での送信対象の画像に基づいたログ画像を生成するので、ログ画像の画質の低下を抑えることができる。
【００１１】
また、本発明のログ画像生成システムにおいて、前記特定の条件は、前記異画像異種同報送信ジョブの複数の通信方式のうち特定の通信方式での送信対象の前記画像の解像度が前記特定の解像度以上である場合に、前記特定の通信方式での送信対象の前記画像を選択する条件を含んでも良い。
【００１２】
この構成により、本発明のログ画像生成システムは、異画像異種同報送信ジョブの複数の通信方式のうち特定の通信方式での送信対象の画像が、ログ画像の生成のために特定の解像度に拡大される必要がない場合に、この特定の通信方式での送信対象の画像に基づいたログ画像を生成するので、この特定の通信方式での送信対象の画像をログ画像の生成の基として優先することができる。
【００１３】
また、本発明のログ画像生成システムは、ログ画像を保証するレベルを受け付けるレベル受付手段を備え、前記特定の条件は、特定のレベルが前記レベル受付手段によって受け付けられている場合に、特定の通信方式での送信対象の前記画像を選択する条件を含んでも良い。
【００１４】
この構成により、本発明のログ画像生成システムは、ログ画像を保証するレベルとして特定のレベルが受け付けられている場合に、特定の通信方式での送信対象の画像に基づいたログ画像を生成するので、この特定の通信方式での送信対象の画像をログ画像の生成の基として優先することができる。
【００１５】
本発明のログ画像生成プログラムは、画像形成装置のジョブの種類を判断するジョブ種類判断手段、および、前記ジョブにおける処理対象の画像の履歴としてのログ画像を生成するログ画像生成手段としてコンピューターを機能させ、前記ログ画像生成手段は、前記ジョブが、同一の原稿から生成された前記画像を複数の通信方式で送信する異種同報送信ジョブであって、この複数の通信方式の中に、送信対象の前記画像の色および解像度の少なくとも一方が互いに異なる複数の通信方式が存在する異画像異種同報送信ジョブであることが前記ジョブ種類判断手段によって判断された場合に、前記異画像異種同報送信ジョブの送信対象であって色および解像度の少なくとも一方が互いに異なる複数種類の前記画像のうち特定の条件で選択した種類の画像に基づいて、この異画像異種同報送信ジョブの前記ログ画像を生成することを特徴とする。
【００１６】
この構成により、本発明のログ画像生成プログラムは、色および解像度の少なくとも一方が互いに異なる複数種類の画像を送信する異種同報送信ジョブである異画像異種同報送信ジョブのログ画像として、この複数種類の画像のうち全ての種類の画像に基づいたログ画像を生成するのではなく、この複数種類の画像のうち特定の条件で選択した種類の画像に基づいたログ画像を生成するので、異画像異種同報送信ジョブのログ画像を無駄なく適切に生成することができる。
【発明の効果】
【００１７】
本発明のログ画像生成システムおよびログ画像生成プログラムは、色および解像度の少なくとも一方が互いに異なる複数種類の画像を送信する異種同報送信ジョブのログ画像を適切に生成することができる。
【図面の簡単な説明】
【００１８】
【図１】本発明の一実施の形態に係る画像形成システムのブロック図である。
【図２】図１に示すＭＦＰのブロック図である。
【図３】ログ画像保証レベルの指定を受け付ける場合の図２に示すＭＦＰの動作のフローチャートである。
【図４】図３に示す動作において表示されるログ画像保証レベル指定用画面の一例を示す図である。
【図５】ログ画像解像度の指定を受け付ける場合の図２に示すＭＦＰの動作のフローチャートである。
【図６】図５に示す動作において表示されるログ画像解像度指定用画面の一例を示す図である。
【図７】利用者がログインする場合の図２に示すＭＦＰの動作のフローチャートである。
【図８】図７に示す動作において表示されるログイン用画面の一例を示す図である。
【図９】図７に示す動作において表示されるログフル状態ログインエラー画面の一例を示す図である。
【図１０】利用者がログインしている場合にジョブを実行するときの図２に示すＭＦＰの動作のフローチャートである。
【図１１】図１０に示す動作において表示されるログフル状態警告画面の一例を示す図である。
【図１２】図１０に示す動作において表示されるログフル状態ジョブエラー画面の一例を示す図である。
【図１３】図１０に示す動作において表示されるログフル状態強制ログアウト通知画面の一例を示す図である。
【図１４】ログ画像を生成する場合の図２に示すＭＦＰの動作のフローチャートである。
【図１５】マイナス差分量を算出する場合の図２に示すＭＦＰの動作のフローチャートである。
【図１６】図２に示すＭＦＰにおける各種条件と、異画像異種同報送信ジョブにおけるログ画像の基になる画像との関係の一例を示す図である。
【発明を実施するための形態】
【００１９】
以下、本発明の一実施の形態について、図面を用いて説明する。
【００２０】
まず、本実施の形態に係る画像形成システム１０の構成について説明する。
【００２１】
図１は、本実施の形態に係る画像形成システム１０のブロック図である。
【００２２】
図１に示すように、画像形成システム１０は、画像形成装置としてのＭＦＰ（Ｍｕｌｔｉｆｕｎｃｔｉｏｎ  Ｐｅｒｉｐｈｅｒａｌ）２０と、ＭＦＰ２０のジョブログを記憶するためのコンピューターであるサーバー３０と、ＭＦＰ２０に印刷データを送信可能であるＰＣ（Ｐｅｒｓｏｎａｌ  Ｃｏｍｐｕｔｅｒ）４０とを備えている。ＭＦＰ２０と、サーバー３０とは、ＬＡＮ（Ｌｏｃａｌ  Ａｒｅａ  Ｎｅｔｗｏｒｋ）、インターネットなどのネットワーク１１を介して互いに通信可能に接続されている。同様に、ＭＦＰ２０と、ＰＣ４０とは、ネットワーク１１を介して互いに通信可能に接続されている。
【００２３】
図２は、ＭＦＰ２０のブロック図である。
【００２４】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部２７と、ＭＦＰ２０全体を制御する制御部２８とを備えている。
【００２５】
操作部２１は、表示部２２とともにタッチパネルを形成する入力デバイスを含んでいても良い。
【００２６】
記憶部２７は、本発明のコンピューターとしてのＭＦＰ２０によって実行されるログ画像生成プログラム２７ａを記憶している。ログ画像生成プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００２７】
また、記憶部２７は、利用者のＩＤおよびパスワードの組み合わせであるログイン用情報２７ｂを記憶することが可能である。
【００２８】
また、記憶部２７は、複数のジョブログ２７ｃを記憶することが可能である。ジョブログ２７ｃには、ジョブにおける処理対象の画像の履歴としてのログ画像２７ｄが含まれている。ログ画像２７ｄは、例えばＰＤＦ（Ｐｏｒｔａｂｌｅ  Ｄｏｃｕｍｅｎｔ  Ｆｏｒｍａｔ）形式の画像データである。
【００２９】
また、記憶部２７は、ログ画像２７ｄを保証するレベル（以下「ログ画像保証レベル」と言う。）を示すログ画像保証レベル情報２７ｅと、ログ画像２７ｄの解像度（以下「ログ画像解像度」と言う。）を示すログ画像解像度情報２７ｆとを記憶することが可能である。
【００３０】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００３１】
制御部２８は、記憶部２７に記憶されているログ画像生成プログラム２７ａを実行することによって、ＭＦＰ２０のジョブの種類を判断するジョブ種類判断手段２８ａ、ジョブのログ画像２７ｄを生成するログ画像生成手段２８ｂ、および、ログ画像保証レベルを受け付けるレベル受付手段２８ｃとして機能する。
【００３２】
例えば、ジョブとしては、原稿からスキャナー２３によって読み取った画像をプリンター２４によって記録媒体に印刷する「コピー」と、原稿からスキャナー２３によって読み取った画像をネットワーク通信部２６によってＰＣ４０（図１参照。）など、ＭＦＰ２０の外部の装置に送信する「送信」と、ＰＣ４０など、ＭＦＰ２０の外部の装置からネットワーク通信部２６によって受信した印刷データに基づく画像をプリンター２４によって記録媒体に印刷する「印刷」と、ＭＦＰ２０の外部のファクシミリ装置からファックス通信部２５によってＦＡＸ受信した印刷データに基づく画像をプリンター２４によって記録媒体に印刷する「ＦＡＸ受信印刷」とが存在している。
【００３３】
ここで、「送信」のジョブには、同一の原稿から生成された画像を、ＦＡＸ、電子メール、ＦＴＰ（Ｆｉｌｅ  Ｔｒａｎｓｆｅｒ  Ｐｒｏｔｏｃｏｌ）、ＳＭＢ（Ｓｅｒｖｅｒ  Ｍｅｓｓａｇｅ  Ｂｌｏｃｋ）などの複数の通信方式で送信する異種同報送信ジョブが含まれている。そして、異種同報送信ジョブには、この複数の通信方式の中に、送信対象の画像の色および解像度の少なくとも一方が互いに異なる複数の通信方式が存在する異画像異種同報送信ジョブが含まれている。ＭＦＰ２０においては、１つの異種同報送信ジョブにおいてＦＡＸ以外の通信方式で送信する場合の送信対象の画像の色および解像度は同一である。すなわち、ＭＦＰ２０における異画像異種同報送信ジョブは、ＦＡＸの通信方式と、ＦＡＸ以外の通信方式とで送信する異種同報送信ジョブである。
【００３４】
ＭＦＰ２０は、ＦＡＸで送信する場合の送信対象の画像の解像度（以下「ＦＡＸ送信解像度」と言う。）として、例えば、「204dpi×98dpi」、「204dpi×196dpi」、「204dpi×391dpi」、「408dpi×391dpi」が指定されることが可能である。また、ＭＦＰ２０は、ＦＡＸ以外の通信方式で送信する場合の送信対象の画像の解像度（以下「Other送信解像度」と言う。）として、例えば、「200dpi×100dpi」、「200dpi×200dpi」、「200dpi×400dpi」、「300dpi×300dpi」、「400dpi×400dpi」、「600dpi×600dpi」が指定されることが可能である。ここで、「204dpi×98dpi」は、前側の解像度である「204dpi」が画像の縦方向の解像度を表しており、後側の解像度である「98dpi」が画像の横方向の解像度を表している。「204dpi×196dpi」、「204dpi×391dpi」、「408dpi×391dpi」、「200dpi×100dpi」、「200dpi×200dpi」、「200dpi×400dpi」、「300dpi×300dpi」、「400dpi×400dpi」および「600dpi×600dpi」についても同様である。
【００３５】
ＭＦＰ２０は、ＦＡＸで送信する場合の送信対象の画像の色がモノクロである。また、ＭＦＰ２０は、ＦＡＸ以外の通信方式で送信する場合の送信対象の画像の色としてカラーまたはモノクロが指定されることが可能である。なお、ＭＦＰ２０は、ＦＡＸで送信する場合の送信対象の画像の色としてもカラーまたはモノクロが指定されることが可能であるようになっていても良い。
【００３６】
なお、制御部２８は、記憶部２７におけるジョブログ２７ｃの保存のための容量を、ジョブログ２７ｃの上限の件数（例えば２００件など）と、全てのジョブログ２７ｃの合計の上限のサイズ（例えば１０ＧＢなど）とで制限するようになっている。記憶部２７に記憶されているジョブログ２７ｃの件数がこの上限の件数に達している状態、または、記憶部２７に記憶されている全てのジョブログ２７ｃの合計のサイズがこの上限のサイズに達している状態は、ジョブログ２７ｃの保存のための空き容量が記憶部２７に残っていない状態（以下「ログフル状態」と言う。）である。なお、制御部２８は、この上限の件数と、この上限のサイズとを、例えば操作部２１を介して、ＭＦＰ２０の管理者によって設定されることが可能である。
【００３７】
次に、画像形成システム１０の動作について説明する。
【００３８】
まず、ログ画像保証レベルの指定を受け付ける場合のＭＦＰ２０の動作について説明する。
【００３９】
図３は、ログ画像保証レベルの指定を受け付ける場合のＭＦＰ２０の動作のフローチャートである。
【００４０】
ログ画像保証レベルの指定を受け付ける場合の動作の開始をＭＦＰ２０の管理者が操作部２１を介してＭＦＰ２０に指示すると、ＭＦＰ２０の制御部２８は、図３に示す動作を実行する。
【００４１】
図３に示すように、制御部２８のレベル受付手段２８ｃは、ログ画像保証レベルの指定を受け付けるための図４に示すログ画像保証レベル指定用画面５０を表示部２２に表示させる（Ｓ２０１）。
【００４２】
図４は、ログ画像保証レベル指定用画面５０の一例を示す図である。
【００４３】
図４に示すログ画像保証レベル指定用画面５０は、ログ画像保証レベルを操作部２１を介して管理者に選択させるためのラジオボタン５１を含んでいる。ラジオボタン５１によって選択可能であるログ画像保証レベルとしては、例えば、「低レベル」および「高レベル」が存在している。ここで、「低レベル」は、ログ画像２７ｄが残されることよりもジョブが実行されることが重視されているレベルであって、ログフル状態であってもジョブを実行するレベルである。一方、「高レベル」は、ジョブが実行されることよりもログ画像２７ｄが残されることが重視されているレベルであって、ログフル状態においてジョブを実行しないレベルである。すなわち、「高レベル」は、「低レベル」と比較して、ログ画像２７ｄを残すという観点ではセキュリティーレベルが高い。なお、ログ画像保証レベルの初期値は、例えば「低レベル」である。
【００４４】
ログ画像保証レベル指定用画面５０は、ログ画像保証レベルの指定を受け付けるためのボタン５２と、ログ画像保証レベルの指定の受け付けを中止するためのボタン５３とを含んでいる。
【００４５】
図３に示すように、レベル受付手段２８ｃは、Ｓ２０１の処理の後、ログ画像保証レベルが指定されたか否かを判断する（Ｓ２０２）。ここで、レベル受付手段２８ｃは、ログ画像保証レベル指定用画面５０において操作部２１を介してボタン５２が押された場合に、ログ画像保証レベルが指定されたと判断する。
【００４６】
レベル受付手段２８ｃは、ログ画像保証レベルが指定されていないとＳ２０２において判断すると、ログ画像保証レベルの指定が中止されたか否かを判断する（Ｓ２０３）。ここで、レベル受付手段２８ｃは、ログ画像保証レベル指定用画面５０において操作部２１を介してボタン５３が押された場合に、ログ画像保証レベルの指定が中止されたと判断する。
【００４７】
レベル受付手段２８ｃは、ログ画像保証レベルの指定が中止されたとＳ２０３において判断すると、図３に示す動作を終了する。
【００４８】
一方、レベル受付手段２８ｃは、ログ画像保証レベルの指定が中止されていないとＳ２０３において判断すると、再びＳ２０２の処理に戻る。
【００４９】
レベル受付手段２８ｃは、ログ画像保証レベルが指定されたとＳ２０２において判断すると、ラジオボタン５１において選択されている設定をログ画像保証レベル情報２７ｅとして記憶部２７に書き込んで（Ｓ２０４）、図３に示す動作を終了する。
【００５０】
次に、ログ画像解像度の指定を受け付ける場合のＭＦＰ２０の動作について説明する。
【００５１】
図５は、ログ画像解像度の指定を受け付ける場合のＭＦＰ２０の動作のフローチャートである。
【００５２】
ログ画像解像度の指定を受け付ける場合の動作の開始をＭＦＰ２０の管理者が操作部２１を介してＭＦＰ２０に指示すると、ＭＦＰ２０の制御部２８は、図５に示す動作を実行する。
【００５３】
図５に示すように、制御部２８は、ログ画像解像度の指定を受け付けるための図６に示すログ画像解像度指定用画面６０を表示部２２に表示させる（Ｓ２１１）。
【００５４】
図６は、ログ画像解像度指定用画面６０の一例を示す図である。
【００５５】
図６に示すログ画像解像度指定用画面６０は、ログ画像解像度を操作部２１を介して管理者に選択させるためのラジオボタン６１を含んでいる。ラジオボタン６１によって選択可能であるログ画像解像度としては、例えば、「72dpi×72dpi」、「100dpi×100dpi」、「200dpi×200dpi」および「300dpi×300dpi」が存在している。ここで、「72dpi×72dpi」は、前側の解像度がログ画像２７ｄの縦方向の解像度を表しており、後側の解像度がログ画像２７ｄの横方向の解像度を表している。「100dpi×100dpi」、「200dpi×200dpi」および「300dpi×300dpi」についても同様である。なお、ログ画像解像度の初期値は、例えば「200dpi×200dpi」である。
【００５６】
ログ画像解像度指定用画面６０は、ログ画像解像度の指定を受け付けるためのボタン６２と、ログ画像解像度の指定の受け付けを中止するためのボタン６３とを含んでいる。
【００５７】
図５に示すように、制御部２８は、Ｓ２１１の処理の後、ログ画像解像度が指定されたか否かを判断する（Ｓ２１２）。ここで、制御部２８は、ログ画像解像度指定用画面６０において操作部２１を介してボタン６２が押された場合に、ログ画像解像度が指定されたと判断する。
【００５８】
制御部２８は、ログ画像解像度が指定されていないとＳ２１２において判断すると、ログ画像解像度の指定が中止されたか否かを判断する（Ｓ２１３）。ここで、制御部２８は、ログ画像解像度指定用画面６０において操作部２１を介してボタン６３が押された場合に、ログ画像解像度の指定が中止されたと判断する。
【００５９】
制御部２８は、ログ画像解像度の指定が中止されたとＳ２１３において判断すると、図５に示す動作を終了する。
【００６０】
一方、制御部２８は、ログ画像解像度の指定が中止されていないとＳ２１３において判断すると、再びＳ２１２の処理に戻る。
【００６１】
制御部２８は、ログ画像解像度が指定されたとＳ２１２において判断すると、ラジオボタン６１において選択されている設定をログ画像解像度情報２７ｆとして記憶部２７に書き込んで（Ｓ２１４）、図５に示す動作を終了する。
【００６２】
次に、利用者がログインする場合のＭＦＰ２０の動作について説明する。
【００６３】
図７は、利用者がログインする場合のＭＦＰ２０の動作のフローチャートである。
【００６４】
ログインを受け付ける場合の動作の開始を利用者が操作部２１を介してＭＦＰ２０に指示すると、ＭＦＰ２０の制御部２８は、図７に示す動作を実行する。
【００６５】
図７に示すように、制御部２８は、ログインを受け付けるための図８に示すログイン用画面７０を表示部２２に表示させる（Ｓ２３１）。
【００６６】
図８は、ログイン用画面７０の一例を示す図である。
【００６７】
図８に示すログイン用画面７０は、利用者のＩＤを操作部２１を介して利用者に入力させるためのテキストボックス７１と、利用者のパスワードを操作部２１を介して利用者に入力させるためのテキストボックス７２と、ログインの指示を受け付けるためのボタン７３と、ログインの指示の受け付けを中止するためのボタン７４とを含んでいる。
【００６８】
図７に示すように、制御部２８は、Ｓ２３１の処理の後、ログインが指示されたか否かを判断する（Ｓ２３２）。ここで、制御部２８は、ログイン用画面７０において操作部２１を介してボタン７３が押された場合に、ログインが指示されたと判断する。
【００６９】
制御部２８は、ログインが指示されていないとＳ２３２において判断すると、ログインの指示が中止されたか否かを判断する（Ｓ２３３）。ここで、制御部２８は、ログイン用画面７０において操作部２１を介してボタン７４が押された場合に、ログインの指示が中止されたと判断する。
【００７０】
制御部２８は、ログインの指示が中止されたとＳ２３３において判断すると、図７に示す動作を終了する。
【００７１】
一方、制御部２８は、ログインの指示が中止されていないとＳ２３３において判断すると、再びＳ２３２の処理に戻る。
【００７２】
制御部２８は、ログインが指示されたとＳ２３２において判断すると、テキストボックス７１およびテキストボックス７２において指定されているＩＤおよびパスワードの組み合わせが記憶部２７上のログイン用情報２７ｂに含まれているか否かを判断する（Ｓ２３４）。
【００７３】
制御部２８は、テキストボックス７１およびテキストボックス７２において指定されているＩＤおよびパスワードの組み合わせがログイン用情報２７ｂに含まれていないとＳ２３４において判断すると、ログインの失敗を表示部２２に表示させた後（Ｓ２３５）、再びＳ２３１の処理に戻る。
【００７４】
一方、制御部２８は、テキストボックス７１およびテキストボックス７２において指定されているＩＤおよびパスワードの組み合わせがログイン用情報２７ｂに含まれているとＳ２３４において判断すると、このＩＤが管理者のＩＤとしてログイン用情報２７ｂに含まれているか否かを判断する（Ｓ２３６）。
【００７５】
制御部２８は、管理者のＩＤとしてログイン用情報２７ｂに含まれているとＳ２３６において判断すると、管理者としてのログインを許可して（Ｓ２３７）、図７に示す動作を終了する。
【００７６】
一方、制御部２８は、管理者のＩＤとしてログイン用情報２７ｂに含まれていないとＳ２３６において判断すると、現在設定されているログ画像保証レベルが「高レベル」であるか否かを記憶部２７上のログ画像保証レベル情報２７ｅに基づいて判断する（Ｓ２３８）。
【００７７】
制御部２８は、現在設定されているログ画像保証レベルが「高レベル」ではないとＳ２３８において判断すると、利用者としてのログインを許可して（Ｓ２３９）、図７に示す動作を終了する。
【００７８】
一方、制御部２８は、現在設定されているログ画像保証レベルが「高レベル」であるとＳ２３８において判断されると、ログフル状態であるか否かを判断する（Ｓ２４０）。
【００７９】
制御部２８は、ログフル状態であるとＳ２４０において判断されると、ログフル状態においてログインを許可しないことを利用者に通知するための図９に示すログフル状態ログインエラー画面８０を表示部２２に表示させた後（Ｓ２４１）、図７に示す動作を終了する。
【００８０】
一方、制御部２８は、ログフル状態ではないとＳ２４０において判断されると、利用者としてのログインを許可して（Ｓ２３９）、図７に示す動作を終了する。
【００８１】
なお、以上においては、利用者が操作部２１を介してＩＤおよびパスワードを入力してログインする場合のＭＦＰ２０の動作について説明しているが、ログインの方法はこれに限られるものではない。例えば、ＭＦＰ２０は、カードリーダーを備えていて、利用者のログイン用のＩＣカードがこのカードリーダーにかざされることによって利用者を認証した後、Ｓ２３６〜Ｓ２４１の処理を実行するようになっていても良い。ＭＦＰ２０は、利用者のログイン用のＩＣカードがカードリーダーにかざされることによる利用者の認証によってＳ２３６〜Ｓ２４１の処理を実行するようになっている場合、図８に示すログイン用画面７０を表示させずにＳ２３６〜Ｓ２４１の処理を実行するようになっていても良い。
【００８２】
また、以上においては、操作部２１を介したＭＦＰ２０へのログインについて説明しているが、ＰＣ４０からネットワーク１１を介してＭＦＰ２０にログインすることも可能である。ＰＣ４０からネットワーク１１を介してＭＦＰ２０にログインする場合、Ｓ２３１、Ｓ２３５およびＳ２４１における表示は、ＰＣ４０の表示部に表示される。
【００８３】
次に、利用者がログインしている場合にジョブを実行するときのＭＦＰ２０の動作について説明する。
【００８４】
図１０は、利用者がログインしている場合にジョブを実行するときのＭＦＰ２０の動作のフローチャートである。
【００８５】
ＭＦＰ２０の制御部２８は、利用者がログインしている場合にジョブを実行するとき、図１０に示す動作を実行する。
【００８６】
図１０に示すように、制御部２８は、ログフル状態であるか否かを判断する（Ｓ２６１）。
【００８７】
制御部２８は、ログフル状態であるとＳ２６１において判断すると、実行の対象のジョブ（以下「対象ジョブ」と言う。）が「ＦＡＸ受信印刷」のジョブであるか否かを判断する（Ｓ２６２）。なお、「ＦＡＸ受信印刷」のジョブのみ特別に扱っている理由は、「ＦＡＸ受信印刷」のジョブがそもそもログインを必要としないジョブであるからである。また、「ＦＡＸ受信印刷」のジョブは、通常、ＭＦＰ２０の利用者以外の他人から送信されるため、ジョブの実行を保証する必要があるからである。
【００８８】
制御部２８は、対象ジョブが「ＦＡＸ受信印刷」のジョブではないとＳ２６２において判断すると、現在設定されているログ画像保証レベルを記憶部２７上のログ画像保証レベル情報２７ｅに基づいて判断する（Ｓ２６３）。
【００８９】
制御部２８は、対象ジョブが「ＦＡＸ受信印刷」のジョブであるとＳ２６２において判断するか、現在設定されているログ画像保証レベルが「低レベル」であるとＳ２６３において判断すると、記憶部２７において最も古いジョブログ２７ｃを削除して（Ｓ２６４）、ログフル状態であることを利用者に通知するための図１１に示すログフル状態警告画面９１を表示部２２に表示する（Ｓ２６５）。
【００９０】
制御部２８は、ログフル状態ではないとＳ２６１において判断するか、Ｓ２６５の処理を実行すると、対象ジョブを実行する（Ｓ２６６）。
【００９１】
次いで、制御部２８は、対象ジョブについてジョブログ２７ｃを生成し（Ｓ２６７）、生成したジョブログ２７ｃを記憶部２７に保存した後（Ｓ２６８）、図１０に示す動作を終了する。
【００９２】
制御部２８は、現在設定されているログ画像保証レベルが「高レベル」であるとＳ２６３において判断すると、ログフル状態においてジョブの実行を中止することを利用者に通知するための図１２に示すログフル状態ジョブエラー画面９２を表示部２２に表示して（Ｓ２６９）、対象ジョブの実行を中止する（Ｓ２７０）。
【００９３】
次いで、制御部２８は、ログフル状態において強制的にログアウトすることを利用者に通知するための図１３に示すログフル状態強制ログアウト通知画面９３を表示部２２に表示した後（Ｓ２７１）、利用者をログアウトして（Ｓ２７２）、図１０に示す動作を終了する。
【００９４】
なお、以上においては、操作部２１を介してＭＦＰ２０にジョブの実行が指示された場合について説明しているが、ＰＣ４０からネットワーク１１を介してＭＦＰ２０にジョブの実行が指示されることも可能である。ＰＣ４０からネットワーク１１を介してＭＦＰ２０にジョブの実行が指示された場合、Ｓ２６５、Ｓ２６９およびＳ２７１における表示は、ＰＣ４０の表示部に表示される。
【００９５】
また、ＭＦＰ２０は、ログフル状態であることを管理者に通知するために、例えばＳ２６５において、Ｓ２６５における表示に代えて、または、Ｓ２６５における表示に追加して、管理者への電子メールなどによる通知を実行するようになっていても良い。
【００９６】
以上のようにして記憶部２７に記憶されたジョブログ２７ｃは、予め設定されている時期にネットワーク通信部２６を介して制御部２８によってサーバー３０に送信される。そして、サーバー３０は、ＭＦＰ２０から送信されてきたジョブログを蓄積する。ＭＦＰ２０の制御部２８は、サーバー３０への送信が成功したジョブログ２７ｃを記憶部２７から削除する一方、通信エラーなどによってサーバー３０への送信が失敗したジョブログ２７ｃを次回の送信に備えて記憶部２７に残す。
【００９７】
サーバー３０は、蓄積しているジョブログのログ画像に対してＯＣＲ（Ｏｐｔｉｃａｌ  Ｃｈａｒａｃｔｅｒ  Ｒｅｃｏｇｎｉｔｉｏｎ）処理を実行することによってログ画像中のテキストデータを抽出した後、このテキストデータの中にセキュリティーポリシーに違反するキーワードが含まれていることを検出すると、電子メールなどの方法によって管理者に通知する。
【００９８】
次に、Ｓ２６７におけるジョブログ２７ｃの生成においてログ画像２７ｄを生成する場合のＭＦＰ２０の動作について説明する。
【００９９】
図１４は、Ｓ２６７におけるジョブログ２７ｃの生成においてログ画像２７ｄを生成する場合のＭＦＰ２０の動作のフローチャートである。
【０１００】
図１４に示すように、制御部２８のジョブ種類判断手段２８ａは、対象ジョブが異画像異種同報送信ジョブであるか否かを判断する（Ｓ３０１）。なお、異画像異種同報送信ジョブのみ特別に扱っている理由は、異画像異種同報送信ジョブ以外のジョブにおいてはログ画像２７ｄの基になる画像が１種類のみであるからである。
【０１０１】
制御部２８のログ画像生成手段２８ｂは、対象ジョブが異画像異種同報送信ジョブであるとＳ３０１において判断されると、ログ画像保証レベル情報２７ｅに「低レベル」が設定されているか否かを判断する（Ｓ３０２）。
【０１０２】
ログ画像生成手段２８ｂは、ログ画像保証レベル情報２７ｅに「低レベル」が設定されていないとＳ３０２において判断すると、対象ジョブである異画像異種同報送信ジョブのＦＡＸ送信解像度が、ログ画像解像度情報２７ｆにおいて設定されているログ画像解像度（以下「システム解像度」と言う。）以上であるか否かを判断する（Ｓ３０３）。
【０１０３】
ここで、ログ画像生成手段２８ｂは、ＦＡＸ送信解像度の縦方向の解像度がシステム解像度の縦方向の解像度以上であって、ＦＡＸ送信解像度の横方向の解像度もシステム解像度の横方向の解像度以上である場合に、ＦＡＸ送信解像度がシステム解像度以上であると判断する。一方、ログ画像生成手段２８ｂは、ＦＡＸ送信解像度の縦方向の解像度がシステム解像度の縦方向の解像度未満である場合、または、ＦＡＸ送信解像度の横方向の解像度がシステム解像度の横方向の解像度未満である場合に、ＦＡＸ送信解像度がシステム解像度未満であると判断する。
【０１０４】
ログ画像生成手段２８ｂは、ＦＡＸ送信解像度がシステム解像度未満であるとＳ３０３において判断すると、システム解像度に対するＦＡＸ送信解像度のマイナス差分量Ｆを算出する（Ｓ３０４）。
【０１０５】
図１５は、Ｓ３０４においてマイナス差分量Ｆを算出する場合のＭＦＰ２０の動作のフローチャートである。
【０１０６】
図１５に示すように、制御部２８のログ画像生成手段２８ｂは、ＦＡＸ送信解像度の縦方向の解像度からシステム解像度の縦方向の解像度を引いた値を求める（Ｓ３３１）。
【０１０７】
次いで、ログ画像生成手段２８ｂは、ＦＡＸ送信解像度の横方向の解像度からシステム解像度の横方向の解像度を引いた値を求める（Ｓ３３２）。
【０１０８】
次いで、ログ画像生成手段２８ｂは、Ｓ３３１において求めた値と、Ｓ３３２において求めた値とのうち小さい値を選択する（Ｓ３３３）。ここで、ログ画像生成手段２８ｂは、Ｓ３３１において求めた値と、Ｓ３３２において求めた値とが同一である場合にはその値を選択する。
【０１０９】
次いで、ログ画像生成手段２８ｂは、Ｓ３３３において選択した値が負であるか否かを判断する（Ｓ３３４）。
【０１１０】
ログ画像生成手段２８ｂは、Ｓ３３３において選択した値が負であるとＳ３３４において判断すると、その値の絶対値をマイナス差分量Ｆとして決定して（Ｓ３３５）、図１５に示す動作を終了する。なお、マイナス差分量が０より大きいということは、送信対象の画像の解像度がシステム解像度未満の解像度であるので、この画像を送信する場合にこの画像の解像度を拡大する必要が有るということである。ここで、送信対象の画像の解像度と、システム解像度との差が小さいほど、マイナス差分量が小さいということになるので、マイナス差分量が小さいほど、送信対象の画像を送信する場合にこの画像の解像度をシステム解像度以上の解像度にするために必要な拡大率は小さいということになる。
【０１１１】
ログ画像生成手段２８ｂは、Ｓ３３３において選択した値が負ではないとＳ３３４において判断すると、マイナス差分量Ｆを０に決定して（Ｓ３３６）、図１５に示す動作を終了する。なお、マイナス差分量が０であるということは、送信対象の画像の解像度がシステム解像度以上の解像度であるので、この画像を送信する場合にこの画像の解像度を拡大する必要が無いということである。すなわち、マイナス差分量が０であるということは、送信対象の画像を送信する場合にこの画像の解像度をシステム解像度以上の解像度にするために必要な拡大率が１倍であるということである。
【０１１２】
図１４に示すように、ログ画像生成手段２８ｂは、Ｓ３０４の処理を終了すると、Ｓ３０４の処理と同様に、対象ジョブである異画像異種同報送信ジョブのOther送信解像度のシステム解像度に対するマイナス差分量Ｏを算出する（Ｓ３０５）。
【０１１３】
次いで、ログ画像生成手段２８ｂは、マイナス差分量Ｆがマイナス差分量Ｏ以下であるか否かを判断する（Ｓ３０６）。
【０１１４】
ログ画像生成手段２８ｂは、ログ画像保証レベル情報２７ｅに「低レベル」が設定されているとＳ３０２において判断するか、ＦＡＸ送信解像度がシステム解像度以上であるとＳ３０３において判断するか、マイナス差分量Ｆがマイナス差分量Ｏ以下であるとＳ３０６において判断すると、ＦＡＸでの送信対象の画像をログ画像２７ｄの基になる画像として決定する（Ｓ３０７）。なお、ＦＡＸでの送信対象の画像は、Ｓ２６６の処理の結果、例えば記憶部２７に記憶されている。
【０１１５】
一方、ログ画像生成手段２８ｂは、マイナス差分量Ｆがマイナス差分量Ｏより大きいとＳ３０６において判断すると、ＦＡＸ以外の通信方式での送信対象の画像をログ画像２７ｄの基になる画像として決定する（Ｓ３０８）。なお、ＦＡＸ以外の通信方式での送信対象の画像は、Ｓ２６６の処理の結果、例えば記憶部２７に記憶されている。
【０１１６】
ログ画像生成手段２８ｂは、以上に説明したように動作することによって、異画像異種同報送信ジョブにおけるログ画像２７ｄの基になる画像を例えば図１６に示すように決定する。なお、図１６において、「システム設定」欄の「保証レベル」欄は、ログ画像保証レベルを示している。「保証レベル」欄の値は、「高」が「高レベル」を示しており、「低」が「低レベル」を示している。また、「システム設定」欄の「解像度」欄は、システム解像度を示している。また、「異種同報送信解像度」欄の「ＦＡＸ」欄は、ＦＡＸ送信解像度を示している。また、「異種同報送信解像度」欄の「Other」欄は、Other送信解像度を示している。また、「基画像」欄は、ログ画像２７ｄの基になる画像を示している。「基画像」欄の値は、「ＦＡＸ」が「ＦＡＸでの送信対象の画像」を示しており、「Other」が「ＦＡＸ以外の通信方式での送信対象の画像」を示している。
【０１１７】
図１４に示すように、ログ画像生成手段２８ｂは、対象ジョブが異画像異種同報送信ジョブではないとＳ３０１において判断されるか、Ｓ３０７の処理を実行するか、Ｓ３０８の処理を実行すると、ログ画像２７ｄを生成する（Ｓ３０９）。ここで、ログ画像生成手段２８ｂは、ログ画像２７ｄの基になる画像の解像度がシステム解像度未満である場合には、ログ画像２７ｄの基になる画像の解像度がシステム解像度以上になるように、ログ画像２７ｄの基になる画像を拡大してからログ画像２７ｄを生成する。
【０１１８】
ログ画像生成手段２８ｂは、Ｓ３０９の処理を終了すると、図１４に示す動作を終了する。
【０１１９】
以上に説明したように、ＭＦＰ２０は、色および解像度の少なくとも一方が互いに異なる複数種類の画像を送信する異種同報送信ジョブである異画像異種同報送信ジョブのログ画像２７ｄとして、この複数種類の画像のうち全ての種類の画像に基づいたログ画像２７ｄを生成するのではなく、この複数種類の画像のうち特定の条件で選択した（Ｓ３０２〜Ｓ３０８）１種類の画像に基づいたログ画像２７ｄを生成する（Ｓ３０９）ので、異画像異種同報送信ジョブのログ画像２７ｄを無駄なく適切に生成することができる。
【０１２０】
ＭＦＰ２０は、異画像異種同報送信ジョブの複数種類の画像のうち特定の条件で選択した１種類の画像に基づいたログ画像２７ｄを生成するので、この複数種類の画像のうち全ての種類の画像に基づいたログ画像２７ｄを生成する構成と比較して、ログ画像２７ｄの保存のための容量を低減することができる。
【０１２１】
ＭＦＰ２０は、異画像異種同報送信ジョブの複数種類の画像のうち特定の条件で選択した１種類の画像に基づいたログ画像２７ｄを生成するので、この複数種類の画像のうち例えば常にＦＡＸでの送信対象の画像に基づいたログ画像２７ｄを生成する構成と比較して、条件に応じた適切なログ画像２７ｄを生成することができる。ＭＦＰ２０は、異画像異種同報送信ジョブのログ画像２７ｄを適切に生成することができるので、例えばＯＣＲ処理が高精度に実施されるログ画像２７ｄを生成することができる。
【０１２２】
ログ画像２７ｄの基になる画像の選択のための特定の条件は、異画像異種同報送信ジョブの複数の通信方式のうち、送信対象の画像を送信する場合にこの画像の解像度を特定の解像度、すなわち、システム解像度以上の解像度にするために必要な拡大率が最も小さい通信方式での送信対象の画像を選択する（Ｓ３０６）条件を含んでいる。この構成により、ＭＦＰ２０は、異画像異種同報送信ジョブの複数の通信方式のうち、送信対象の画像が、ログ画像２７ｄの生成のためのシステム解像度以上にされるまでに必要な拡大率が最も小さい通信方式での送信対象の画像に基づいたログ画像２７ｄを生成する（Ｓ３０９）ので、ログ画像２７ｄの画質の低下を抑えることができる。
【０１２３】
また、ログ画像２７ｄの基になる画像の選択のための特定の条件は、異画像異種同報送信ジョブの複数の通信方式のうち特定の通信方式、すなわち、ＦＡＸでの送信対象の画像の解像度が特定の解像度以上、すなわち、システム解像度以上である場合に、ＦＡＸでの送信対象の画像を選択する（Ｓ３０３）条件を含んでいる。この構成により、ＭＦＰ２０は、異画像異種同報送信ジョブの複数の通信方式のうちＦＡＸでの送信対象の画像が、ログ画像２７ｄの生成のためにシステム解像度に拡大される必要がない場合に、ＦＡＸでの送信対象の画像に基づいたログ画像２７ｄを生成するので、ＦＡＸでの送信対象の画像をログ画像２７ｄの生成の基として優先することができる。
【０１２４】
また、ログ画像２７ｄの基になる画像の選択のための特定の条件は、特定のレベル、すなわち、「低レベル」がレベル受付手段２８ｃによって受け付けられている場合に、特定の通信方式、すなわち、ＦＡＸでの送信対象の画像を選択する（Ｓ３０２）条件を含んでいる。この構成により、ＭＦＰ２０は、ログ画像２７ｄを保証するレベルとして「低レベル」が受け付けられている場合に、ＦＡＸでの送信対象の画像に基づいたログ画像２７ｄを生成するので、ＦＡＸでの送信対象の画像をログ画像２７ｄの生成の基として優先することができる。
【０１２５】
なお、画像形成システム１０は、本実施の形態において、本発明のジョブ種類判断手段、ログ画像生成手段およびレベル受付手段の全てがＭＦＰ２０に備えられている構成である。すなわち、本発明のログ画像生成システムは、ＭＦＰ２０として実現されている。しかしながら、本発明のログ画像生成システムは、少なくとも一部がサーバー３０など、ＭＦＰ２０以外の装置に備えられている構成であっても良い。
【０１２６】
また、画像形成システム１０は、本実施の形態において本発明の画像形成装置としてＭＦＰを備えているが、プリンター専用機、コピー専用機、ＦＡＸ専用機など、ＭＦＰ以外の画像形成装置を備えていても良い。
【符号の説明】
【０１２７】
２０  ＭＦＰ（画像形成装置、ログ画像生成システム、コンピューター）
２７ａ  ログ画像生成プログラム
２７ｄ  ログ画像
２８ａ  ジョブ種類判断手段
２８ｂ  ログ画像生成手段
２８ｃ  レベル受付手段
【図１】
2014216781.tif 000003
【図２】
2014216781.tif 000004
【図３】
2014216781.tif 000005
【図４】
2014216781.tif 000006
【図５】
2014216781.tif 000007
【図６】
2014216781.tif 000008
【図７】
2014216781.tif 000009
【図８】
2014216781.tif 000010
【図９】
2014216781.tif 000011
【図１０】
2014216781.tif 000012
【図１１】
2014216781.tif 000013
【図１２】
2014216781.tif 000014
【図１３】
2014216781.tif 000015
【図１４】
2014216781.tif 000016
【図１５】
2014216781.tif 000017
【図１６】
2014216781.tif 000018